(57)【要約】【課題】粘着ロールから使用済みの粘着テープを確実に切り取り得るようにする。【解決手段】粘着テープ２には切り取りのために、短手方向Ｘに主切断部１３と従切断部１４とから成る多数の切れ目６が断続的に形成されている。主切断部１３は短手方向Ｘの直線方向Ａに沿って形成されており、主切断部１３の端部１３ａから粘着テープ２の剥し方向Ｂと直交する方向に向けて、短い従切断部１４が「く」の字状に付設されている。  上層の粘着テープ２を切り取るには、捲り側の非粘着部１２を指で摘んで剥し方向Ｂに向けて、切れ目６に沿いながら粘着テープ２を引き剥して切り取る。このとき、主切断部１３は予め切断されているが、主切断部１３の他端部１３ｂにおいては切れ目６が形成されていないので、引き剥しにより他端部１３ｂと従切断部１４との間に新たな裂け目を造りながら、次の主切断部１３に移行する。【選択図】図４
2013233282.tif 000002
【特許請求の範囲】
【請求項１】
所定幅の帯状の粘着テープの粘着層を表面にして軸芯に巻回し切断すべき直線方向に沿った切れ目を断続的に形成し、該切れ目により使用済の前記粘着テープを切り取り、下層の新たな前記粘着テープを露出させる清掃用粘着ロールにおいて、前記切れ目は多数の主切断部と該主切断部に付設した従切断部とから成り、前記主切断部は前記切断すべき直線方向に沿って配列し、前記従切断部は前記主切断部の一端部から前記粘着テープの捲り部側に「く」の字状に斜めに短く延在して形成し、前記従切断部は隣接する前記主切断部の他端部に対し前記直線方向と前記粘着テープの長手方向の中間方向に位置することを特徴とする清掃用粘着ロール。
【請求項２】
前記直線方向は前記粘着テープの短手方向としたことを特徴とする請求項１に記載の清掃用粘着ロール。
【請求項３】
前記直線方向は前記粘着テープの剥し方向に傾斜する斜め方向としたことを特徴とする請求項１に記載の清掃用粘着ロール。
【請求項４】
前記主切断部の前記従切断部を付設しない端部と前記従切断部の先端とは前記長手方向において一致又は重なっていることを特徴とする請求項１〜３の何れか１つの請求項に記載の清掃用粘着ロール。
【請求項５】
前記切れ目は前記粘着テープを巻回した粘着ロールに対し、「く」の字状に形成した複数のチップから成る剪断刃を押し込んで形成することを特徴とする請求項１〜４の何れか１つの請求項に記載の清掃用粘着ロール。
【発明の詳細な説明】
【技術分野】
【０００１】
本発明は、カーペット等に絡まる糸屑、毛髪等の塵埃を除去する清掃用具に効果的に使用可能な清掃用粘着ロールに関するものである。
【背景技術】
【０００２】
一般に、カーペットを掃除する清掃用具には、電気掃除機の他に清掃用粘着ロールが使用されている。後者の清掃用粘着ロールでは、帯状の粘着テープの粘着層を表側にして軸芯に巻回した粘着ロールを、清掃用具の軸に挿通して粘着ロールを回転させることにより、カーペット上の塵埃を付着させて取り除いている。塵埃が付着して、表層の粘着テープの粘着力が低下すると、この粘着テープを切り取り、下層の未使用の粘着テープを新たに表面に露出させて使用する。
【０００３】
清掃用粘着ロールでは、例えば特許文献１のように切り取りを容易とするために、１周毎に粘着テープにミシン目から成る切れ目が形成されている。
【先行技術文献】
【特許文献】
【０００４】
【特許文献１】特開２００２−２２４０１１号公報
【発明の概要】
【発明が解決しようとする課題】
【０００５】
しかし、この特許文献１による清掃用粘着ロールでは、使用済みの粘着テープを剥しながら捲くり上げることで、ミシン目に沿って切り取るわけであるが、切り取り方向がミシン目から外れて裂け目を造り、使用済みの粘着テープの一部が残留したまま、或いは新たな粘着テープの部分をも余分に破って切り取ってしまうことがある。
【０００６】
使用済みの粘着テープの一部が残留したままであると、再度ミシン目に沿って残留部分を切り取る必要があり、新たな粘着テープの部分をも余分に破って切り取ってしまった場合には、新しい部分を無駄に捨ててしまう上に、次に使用済み粘着テープを切り取るときに、破れ目を探して剥さなければならない厄介さがある。
【０００７】
本発明の目的は、上述の課題を解決し、表面の使用済みの粘着テープを切れ目に沿って確実に切り取り得る清掃用粘着ロールを提供することにある。
【課題を解決するための手段】
【０００８】
上記目的を達成するための本発明に係る清掃用粘着ロールは、所定幅の帯状の粘着テープの粘着層を表面にして軸芯に巻回し切断すべき直線方向に沿った切れ目を断続的に形成し、該切れ目により使用済の前記粘着テープを切り取り、下層の新たな前記粘着テープを露出させる清掃用粘着ロールにおいて、前記切れ目は多数の主切断部と該主切断部に付設した従切断部とから成り、前記主切断部は前記切断すべき直線方向に沿って配列し、前記従切断部は前記主切断部の一端部から前記粘着テープの捲り部側に「く」の字状に斜めに短く延在して形成し、前記従切断部は隣接する前記主切断部の他端部に対し前記直線方向と前記粘着テープの長手方向の中間方向に位置することを特徴とする。
【発明の効果】
【０００９】
本発明に係る清掃用粘着ロールによれば、切れ目により表面の粘着テープを確実に切り取ることができる。
【図面の簡単な説明】
【００１０】
【図１】実施例の清掃用粘着ロールの斜視図である。
【図２】粘着ロールの使用状態の説明図である。
【図３】（ａ）は粘着テープの長手方向に沿った模式断面図、（ｂ）は短手方向に沿った模式断面図である。
【図４】（ａ）は粘着テープの切れ目の説明図、（ｂ）は切れ目の拡大図である。
【図５】使用した粘着テープを引き剥す状態の説明図である。
【図６】変形例の切れ目の説明図である。
【図７】他の変形例の切れ目の説明図である。
【発明を実施するための形態】
【００１１】
本発明を図示の実施例に基づいて詳細に説明する。
図１に示すように、清掃用粘着ロール１は粘着層を表面側にした帯状の粘着テープ２を紙管から成る軸芯３に巻回して構成されている。粘着テープ２は、粘着ロール１の各周において、一周するように切れ目６が設けられており、粘着テープ２は下層にゆくにつれ長さが短くなっている。この粘着ロール１は図２に示すように清掃用具４の軸５に回転自在に挿通し使用され、所定の長さごとに設けられた切れ目６により汚れた粘着テープ２を切り取って、露出した新たな粘着層を用いて塵埃を取り除く。
【００１２】
図３（ａ）は粘着テープ２の長手方向に沿った模式断面図、（ｂ）は短手方向に沿った模式断面図である。粘着テープ２の基材７は紙から成る上層シート８、合成樹脂製の下層シート９を主たる構成要素とし、上層シート８の表面にゴム系、樹脂系の粘着層１０が塗布され、下層シート９の裏面にフッ素系、シリコン系樹脂から成る剥離層１１が塗布されている。
【００１３】
また、粘着テープ２はその両側の側縁部に沿って、粘着層１０を設けない所定幅の非粘着部１２が形成され、この非粘着部１２は粘着テープ２を切り取る際に指で摘むための捲り部として使用される。
【００１４】
図４（ａ）は切れ目の説明図、（ｂ）は切れ目の拡大図である。粘着テープ２には切り取りのために、多数の切れ目６が幅方向である短手方向Ｘの直線方向Ａに沿って若干の間隔を置いて断続的に配列され、各切れ目６は主切断部１３と従切断部１４とから成っている。主切断部１３は短手方向Ｘに沿って形成されており、主切断部１３の一方の端部１３ａから直線方向Ａに対して約４５度の方向に向けて短い従切断部１４が「く」の字状に付設されている。そして、この従切断部１４は主切断部１３の他端部１３ｂから短手方向Ｘと長手方向Ｙとの中間方向の剥し方向Ｂに位置するように長さが調整されている。
【００１５】
なお、使用前の粘着ロール１の外径は５４ｍｍ、粘着テープ２の短手方向の幅は１６０ｍｍ、非粘着部１２の幅は５ｍｍであり、軸芯３には粘着テープ２が約９０周巻回されている。また、主切断部１３の長さは、例えば５ｍｍ、従切断部１４の長さは３ｍｍである。
【００１６】
粘着テープ２を軸芯３に巻回した粘着ロール１の切れ目６は「く」の字状とした複数のチップから成る剪断刃によって形成される。この剪断刃を粘着ロール１の表面から軸芯３の中心に向けて押し込むことにより、粘着テープ２の全ての層に１工程で多数の切れ目６を断続的に形成することができる。
【００１７】
このように多数の切れ目６を短手方向Ｘに対して断続的に形成する理由は、粘着テープ２を１つの長いテープとして連続させておく必要があるためである。仮に、切れ目６を切り残し部分がない一直線の切れ目とすると、粘着ロール１がこの切れ目により分断されてしまうことになり、使用している間に粘着テープ２が分断された個所からばらばらになってしまう。
【００１８】
上記の構成の清掃用粘着ロール１を清掃用具４に取り付けて回転させながら、カーペット上を掃除をすると、塵埃が粘着テープ２の粘着層１０に付着する。塵埃が多く付着し粘着層１０の粘着力が低下した粘着テープ２を切り取ると、未使用部分の粘着テープ２が新たに表面に露出するので、引き続いて使用することができる。
【００１９】
図５に示すように捲り側の非粘着部１２を指で摘んで剥し方向Ｂに向けて、切れ目６に沿いながら使用済みの粘着テープ２を引き剥して切り取る。このとき、主切断部１３は予め切断されているが、主切断部１３の他端部１３ｂから隣接する主切断部１３、従切断部１４に至る間には切れ目６が形成されていないので、引き剥しにより他端部１３ｂと従切断部１４との間に新たな裂け目を造りながら、次の主切断部１３に移行させる。
【００２０】
粘着テープ２に対する引き剥し力は、通常では粘着テープ２の短手方向Ｘと長手方向Ｙの中間の剥し方向Ｂに加えられるので、主切断部１３の他端部１３ｂから斜め方向に裂け目が発生し、予め位置している従切断部１４の何れかの個所に達するので、この従切断部１４、端部１３ａを経て主切断部１３に至ることができ、再び次の主切断部１３に移行する。
【００２１】
なお、粘着テープ２に対する引き剥しの力が、粘着テープ２の長手方向Ｙだけに加えられることも考えられ、その場合に裂け目が長手方向Ｙに向かい限りなく破れてしまうこともあり得る。そこで、図６の変形例に示すように、従切断部１４の先端は主切断部１３の他端部１３ｂの長手方向Ｙの位置又はそれ以上にまで達し、長手方向Ｙにおいて主切断部１３の他端部１３ｂと従切断部１４の先端が一致又は重なっていることが好ましい。このようにすることにより、剥し方向Ｂがどの方向を向いていても、他端部１３ｂから生じた裂け目は、ほぼ確実に隣接する従切断部１４に至り、更に端部１３ａを介して主切断部１３に移行することが可能となる。
【００２２】
このように本実施例及びその変形例では、切れ目６の主切断部１３同士の間に位置する従切断部１４の存在により、粘着テープ２を確実に切断すべき方向に切り裂くことができる。
【００２３】
また実施例では、切れ目６の方向を粘着テープ２の短手方向Ｘに形成したが、図７の変形例に示すように、切れ目６を短手方向Ｘと長手方向Ｙとの中間の剥し方向Ｂに近い斜めの直線Ａに沿って形成してもよい。
【符号の説明】
【００２４】
１  粘着ロール
２  粘着テープ
３  軸芯
４  清掃用具
６  切れ目
７  基材
８  上層シート
９  下層シート
１０  粘着層
１１  剥離層
１２  非粘着部
１３  主切断部
１４  従切断部
【図１】
2013233282.tif 000003
【図２】
2013233282.tif 000004
【図３】
2013233282.tif 000005
【図４】
2013233282.tif 000006
【図５】
2013233282.tif 000007
【図６】
2013233282.tif 000008
【図７】
2013233282.tif 000009